(57)【要約】【課題】  限られたスペースで作業工具の収納性を向上させると共に、作業工具が一望できる作業工具収納スタンドを提供すること。【解決手段】  平面視略コ字状に配置した立壁部２に、各種作業工具Ｗの形状に沿って凹設され作業工具Ｗを着脱可能に保持させる工具保持部５を設け、開閉可能な左側立壁部２２と右側立壁部２３間内を工具収納スペースＡとし、Ｔ型レンチＷ１を掛止させるのに好適な掛止杆３を架設し、作業台等として利用可能な天板４を開閉可能に設ける。【選択図】        図１
2006315146.tif 000002
【特許請求の範囲】
【請求項１】
工具等を収納可能とする立壁部を備えた工具箱において、作業工具を着脱可能に保持させる複数の立壁部が互いに連接されることを特徴とする作業工具収納スタンド。
【請求項２】
前記複数の立壁部が互いに異なる方向に収納面を備えることを特徴とする請求項1記載の作業工具収納スタンド。
【請求項３】
前記立壁部は、底面にキャスターが設けられた平板状の基台から立設されていると共に、前記立壁部のうち、対峙する両側の立壁部間内を工具収納スペースとしたことを特徴とする請求項２記載の作業工具収納スタンド。
【請求項４】
対峙する両側の前記立壁部間に、前記作業工具を吊り下げる掛止杆が架設されていることを特徴とする請求項２または３記載の作業工具収納スタンド。
【請求項５】
対峙する両側の前記立壁部の一方、または双方が、開閉可能に設けられていることを特徴とする請求項２〜４の何れか１項記載の作業工具収納スタンド。
【請求項６】
開閉可能に設けられた前記立壁部の内側に、該立壁部に上端が枢着された天板が垂設されてなり、該天板は、前記立壁部が開状態の際に水平状に支持されるように設けられていることを特徴とする請求項５記載の作業工具収納スタンド。
【請求項７】
前記立壁部は、各種作業工具の形状に沿って凹設、または、各種作業工具の形状を模した図柄が施されていることを特徴とする請求項1〜６の何れか１項記載の作業工具収納スタンド。
【発明の詳細な説明】
【技術分野】
【０００１】
本発明は、作業工具を収納する作業工具収納スタンドに関する。
【背景技術】
【０００２】
従来、作業工具を収納するものとして、例えば、傾斜立壁面２面と垂直立壁面２面とで外観形状が略角錐台状に形成された移動式視認工具収納箱がある。この工具収納箱を詳述すると、上記した傾斜立壁面には工具を取り付け、一方、垂直立壁面には工具を置くための取り外し可能なスライド式棚が設けらている。さらに、各立壁面には、脱着可能な透明のアクリル性開閉扉が設けられている（例えば特許文献１参照）。
【０００３】
【特許文献１】特開２００３−１４５４５３号公報（第２頁、図１）
【発明の開示】
【発明が解決しようとする課題】
【０００４】
上記した工具収納箱は、表と裏の2面を備えた立壁部であり、使用する際、片面を正面とした場合、他面を使用することができず、収納スペースが縮小されると共に使い勝手が悪い。また、工具の種類の識別、工具の紛失を未然に防ぐには、各収納面が見易い位置にあることが望まれる。
【０００５】
また、ドライバーやメガネレンチ等に比べＴ字レンチのように大きな収納スペースを必要とする作業工具を、2面しかない工具収納面に収納してしまうと、他の作業工具が収納できなくてなってしまうか、あるいは、使い勝手の悪い収納レイアウトになってしまう。
【０００６】
さらに、工具収納箱に作業工具を収納してしまうと、当然のことながら、作業工具は視認することはできない。したがって、所望の作業工具を探し出す手間が必要になる。
【０００７】
そこで本発明は、このような状況に鑑みてなされたものであり、上記問題点を解決できる作業工具収納スタンドを提供することを目的とする。
【課題を解決するための手段】
【０００８】
上記技術課題を達成するために、本発明にかかる作業工具収納スタンドは、下記の技術的手段を講じた。
すなわち、請求項１にかかる作業工具収納スタンドは、工具等を収納可能とする立壁部を備えた工具箱において、作業工具を着脱可能に保持させる複数の立壁部が互いに連接されることを特徴とする。
請求項２にかかる作業工具収納スタンドは、請求項1において、前記複数の立壁部が互いに異なる方向に収納面を備えることを特徴とする。
請求項３にかかる作業工具収納スタンドは、請求項２において、前記立壁部は、底面にキャスターが設けられた平板状の基台から立設されていると共に、前記立壁部のうち、対峙する両側の立壁部間内を工具収納スペースとしたことを特徴とする。
請求項４にかかる作業工具収納スタンドは、請求項２または３において、対峙する両側の前記立壁部間に、前記作業工具を吊り下げる掛止杆が架設されていることを特徴とする。
請求項５にかかる作業工具収納スタンドは、請求項２〜４の何れかにおいて、対峙する両側の前記立壁部の一方、または双方が、開閉可能に設けられていることを特徴とする。
請求項６にかかる作業工具収納スタンドは、請求項５において、開閉可能に設けられた前記立壁部の内側に、該立壁部に上端が枢着された天板が垂設されてなり、該天板は、前記立壁部が開状態の際に水平状に支持されるように設けられていることを特徴とする。
請求項７にかかる作業工具収納スタンドは、請求項１〜６の何れかにおいて、前記立壁部は、各種作業工具の形状に沿って凹設、または、各種作業工具の形状を模した図柄が施されていることを特徴とする。
【発明の効果】
【０００９】
本発明によれば、作業工具を着脱可能に保持させる複数の立壁部が互いに連接されることから、使い勝手が良い上に作業工具の収納数を多くすることができる。
【００１０】
また、平面視略コ字状に立壁部を配置し、対峙する両側の立壁部間内を工具収納スペースとしたり、立壁部間に作業工具を吊り下げる掛止杆が架設したり、さらに、天板を設けたりすることで、限られたスペースを有効に活用して、作業工具の収納性をさらに向上することができると共に作業工具が一望でき、所謂工具箱や引出し式の工具入れに比べ、作業工具を探す手間をなくすことができる。
【００１１】
また、各種作業工具の形状に沿った凹部や各種作業工具の形状を模した図柄を施した立壁部によって、作業工具にそれぞれ専用の収納部を割り当てたことで、作業工具の片付け忘れを防止したり、作業工具の紛失を防止することができる。
【発明を実施するための最良の形態】
【００１２】
次に、本発明にかかる作業工具収納スタンドの実施の形態を、図面を参照しながら説明する。
本実施の形態にかかる作業工具収納スタンドは、図1に示すように、基台１と、立壁部２（工具保持部５を備える）と、掛止杆３と、天板４と、工具保持部５を備えてなる。
【００１３】
基台１は、平面視略台形状に形成された板状部材であり、その裏面の四隅近傍には、キャスター１１が設けられている。基台１は、平面視略台形状の平行辺のうち短辺側（以下、作業工具収納スタンド正面側という）と、他方である長辺側（以下、作業工具収納スタンド背面側という）との双方に、旋回可能な自在金具支持のキャスター１１が配置されており、さらに、作業工具収納スタンド正面側、または、作業工具収納スタンド背面側の何れか一方に、車輪の転動をロックするロック付きのキャスターになっている。
【００１４】
また、基台１は、作業工具収納スタンド正面側に、旋回可能な自在金具支持のキャスターを配置し、作業工具収納スタンド背面側に、短辺側に車輪が向いた固定金具支持のキャスターを配置したり、その逆に、作業工具収納スタンド正面側に固定金具支持のキャスターを配置し、作業工具収納スタンド背面側に旋回可能な自在金具支持のキャスターを配置しても良いものである。
【００１５】
この場合においても、作業工具収納スタンド正面側、または、作業工具収納スタンド背面側の何れか一方に、車輪の転動をロックするロック付きのキャスターにすることが好適である。
【００１６】
立壁部２は、正面側立壁２１と、その正面側立壁２１の平面視両端部から基台１の斜辺に沿うように配置された左側立壁部２２及び右側立壁部２３からなり、平面視略コ字状に配置されている。
【００１７】
正面側立壁２１は、基台１の短辺縁部から所要の距離をおいて基台１から立設されており、上部が、作業工具収納スタンド背面側に向かって僅か（例えば3度程度）に傾斜させている。
【００１８】
左側立壁部２２は、正面側立壁２１の平面視左端部と接続するように基台１から立設され上面が内側に折り曲げ形成された左内壁板２２１と、ヒンジ部材６を介して正面側立壁２１の平面視左端部と水平方向開閉可能に接続され上面が内側に折り曲げ形成された左外壁板２２２とを備えてなる。
【００１９】
この左外壁板２２２の折り曲げ形成された上面は、後述する天板４が水平状に支持されるように、左内壁板２２１の折り曲げ形成された上面より所要高さ上位になっている。
また、この左外壁板２２２は、開閉動作の際に、左外壁板２２２の下縁部が基台１表面と接触しないように、基台１表面から所要の距離をおいて設けられている。
【００２０】
右側立壁部２３は、正面側立壁２１の平面視右端部と接続するように基台１から立設された板状の右内壁板２３１と、ヒンジ部材６を介して正面側立壁２１の平面視右端部と水平方向開閉可能に接続され上面が内側に折り曲げ形成された右外壁板２３２とを備えてなる。
【００２１】
この右外壁板２３２の上面には、棒状の作業工具Ｗや所望の部材を挿入し、支持させる工具支持孔２３３が設けられている。この工具支持孔２３３は、その使用例として、例えばドライバーなどを収納（ドライバーの把持部を上にし、工具支持孔２３３の周縁部にその把持部を当接させてドライバーを支持）させるのに好適である。
【００２２】
また、右内壁板２３１の内側下部には、基台１から立設され作業工具収納スタンド背面側に開口部２３５を設けた箱状収納部２３４が設けられている。この箱状収納部２３４は、その使用例として、例えば作業用パレットなどを立てた状態で収納させるのに好適である。
【００２３】
また、この箱状収納部２３４に加え、基台１と、左内壁板２２１と、右内壁板２３１とで形成された領域全体が、工具収納スペースＡであり、所望の作業工具Ｗや、荷物などを基台１に載置させることで収納できるようになっている。
【００２４】
掛止杆３は、作業工具収納スタンド背面側の左外壁板２２２端部と右外壁板２３２端部とを結ぶように、左外壁板２２２―右外壁板２３２に架設された一対の平行レール部材であり、扇状に凸湾曲形成されてなる。
【００２５】
また、この掛止杆３の上面には、所要の間隔をおいて、掛止杆３長手方向と直交する方向に作業工具Ｗを整列保持させる掛止凹部３１が設けられている。この掛止杆３の使用例としては、例えばＴ型レンチＷ１の水平方向に張り出した把持部を掛止凹部３１に位置させて、Ｔ型レンチＷ１を掛止させるのに好適である。
【００２６】
天板４は、ヒンジ部材６を介して左外壁板２２２内側の上部に上下方向開閉可能に接続されたトレイ状部材であり、図3に示すように、左外壁板２２２内側の上部から垂設されて左外壁板２２２と左内壁板２２１との間に収納されると共に、図４に示すように、左外壁板２２２開き状態時において、天板４の上コーナー部を左内壁板２２１の上面に載置することで水平に天板４が支持されるようなっている。なお、天板４の上コーナー部裏面には、左内壁板２２１の上面を挟み込むようにして天板４の支持位置のずれを防止する一対のガイドブロック４１が設けられている。
【００２７】
工具保持部５は、正面側立壁２１と、左外壁板２２２と、右外壁板２３２との夫々の壁表面に、ドライバー、メガネレンチ、モンキーレンチ、ハンマー、スパナ、ペンチ等の各種作業工具Ｗの形状に沿った形成された収納凹部５１と、その収納凹部５１内の所要位置に設けられたストッパ部５２とを備えて構成されている（図６、７参照）。
【００２８】
収納凹部５１は、各種作業工具Ｗを使用者が取り出し可能な程度、各種作業工具Ｗが若干突出するような所要の深さで形成され、図7に示すように、収納凹部５１内の深さ中途部には、略水平方向外側に突出された一対のボス５１１が形成されている。また、その一対のボス５１１には、収納凹部５１内側が縮径された段付の連通孔５１２が設けられている。
【００２９】
ストッパ部５２は、収納凹部５１内側から出没可能に連通孔５１２内配置され基部が張り出した先丸状のストッパピン５２１と、収納凹部５１外側に且つ連通孔５１２内に配置された止着ピン５２２と、ストッパピン５２１と止着ピン５２２との間の連通孔５１２内に配置されストッパピン５２１を弾発付勢させる圧縮スプリング５２３とを備えてなる。
なお、本実施の形態ではストッパピン５２１の先部を先丸状を例示しているが、とがり丸状（略円錐状）にしても良く、その形状は任意である。
【００３０】
このストッパ部５２は、作業工具Ｗを収納凹部５１内に挿入することで、ストッパピン５２１が作業工具Ｗに当接しながら収納凹部５１内に押し込まれ、ストッパピン５２１が作業工具Ｗを付勢することで、作業工具Ｗを収納凹部５１内で保持されるようになっている。
【００３１】
また、この工具保持部５は、上記した収納凹部５１とストッパ部５２の構成のほかに、各種作業工具Ｗの形状を模した図柄（図示せず）を、正面側立壁２１と、左外壁板２２２と、右外壁板２３２との夫々の壁表面に施し、メガネレンチ等の作業工具Ｗを掛止させるフック５３で構成しても良い。また、上記した図柄を収納凹部５１内に施しても良い。
【００３２】
このように、各種作業工具Ｗの形状に沿った収納凹部５１を設けたり、各種作業工具Ｗの形状を模した図柄を施して、すべての作業工具Ｗにそれぞれ専用の収納部を設けることで、作業終了時において、工具の片付け忘れを防止し、作業工具Ｗの紛失を防止することができる。
【００３３】
以上のように構成された本実施の形態にかかる作業工具収納スタンドは、例えば、自動車整備工場や自動二輪車整備工場などに用いられ、作業環境や、作業状況、作業員の使い勝手に応じて、左外壁板２２２や右外壁板２３２を、閉じたり、開いたりして使用する。
【００３４】
作業工具Ｗを取り出す場合は、工具保持部５に保持された所望の作業工具Ｗを手前に引っ張るだけで、ストッパピン５２１と作業工具Ｗの係合が解除して取り出せる。その逆に、作業工具Ｗを収納する場合は、該当する収納凹部５１に作業工具Ｗを押し込むことで、ストッパピン５２１と作業工具Ｗが係合して収納・保持する。
【００３５】
さらに、使用中の作業工具Ｗの仮置き場や、オイル缶などの載置場、あるいは作業台として天板４を利用することで利便性が向上する。
この場合の操作は、まず、左外壁板２２２を作業工具収納スタンド正面側に大きく開き、次いで、左外壁板２２２内側の上部に枢着された天板４を上方へ回動するように持ち上げる。
【００３６】
そして、その天板４を持ち上げた状態で左外壁板２２２を作業工具収納スタンド背面側に少し戻し、天板４の上コーナー部裏面に設けられた一対のガイドブロック４１に左内壁板２２１の上面を挟む込むように載置して略水平に天板４を支持する。このガイドブロック４１によって、天板４は位置ずれすることなく、所定の位置で略水平の支持状態を保つ。なお、天板４の収納は、上記と逆の操作を行うことで収納できる。
【００３７】
このように本実施の形態にかかる作業工具収納スタンドは、平面視略コ字状に配置した立壁部２に工具保持部５を設けたり、左側立壁部２２と右側立壁部２３間内を工具収納スペースＡとしたり、Ｔ型レンチＷ１を掛止させるのに好適な掛止杆３を架設したり、作業台等として利用可能な天板４を設けたことで、限られたスペースを有効に活用して、作業工具Ｗの収納性をさらに向上することができると共に、作業工具Ｗが一望でき、所謂工具箱や引出し式の工具入れに比べ、作業工具Ｗを探す手間をなくすことができる極めて好適な作業工具収納スタンドになっている。
【００３８】
以上、本実施の形態にかかる作業工具収納スタンドを説明したが、上述した実施の形態は、本発明の好適な実施の形態の一例を示すものであり、本発明はそれに限定されるものではなく、その要旨を逸脱しない範囲内において、種々変形実施が可能である。
【００３９】
例えば、本実施の形態では、天板４を左側立壁部２２に設けたが、右側立壁部２３に設けたり、あるいは、両側に設けても良い。
【図面の簡単な説明】
【００４０】
【図１】本実施の形態にかかる作業工具収納スタンドの正面側斜視図である。
【図２】図１のＹ−Ｙ線に沿える縦断面図である。
【図３】平面図である。
【図４】天板、左外壁板及び右外壁板を開いた状態の平面図である。
【図５】天板、左外壁板を開いた状態の部分正面側斜視図である。
【図６】図１のＶ矢視図であり、工具保持部と作業工具の着脱関係を示す斜視図である。
【図７】図６のＸ−Ｘ線に沿える部分横断面図である
【符号の説明】
【００４１】
１…基台、２…立壁部、３…掛止杆、４…天板、５…工具保持部、１１…キャスター、２１…正面側立壁、２２…左側立壁部、２３…右側立壁部、２２１…左内壁板、６…ヒンジ部材、２２２…左外壁板、２３１…右内壁板、２３２…右外壁板、２３３…工具支持孔、２３４…箱状収納部、２３５…開口部、３１…掛止凹部、４１…ガイドブロック、５１…収納凹部、５２…ストッパ部、５１１…ボス、５１２…連通孔、５２１…ストッパピン、５２２…止着ピン、５２３…圧縮スプリング、５３…フック、Ａ…工具収納スペース、Ｗ１…Ｔ型レンチ、Ｗ…作業工具
【図１】
2006315146.tif 000003
【図２】
2006315146.tif 000004
【図３】
2006315146.tif 000005
【図４】
2006315146.tif 000006
【図５】
2006315146.tif 000007
【図６】
2006315146.tif 000008
【図７】
2006315146.tif 000009